(57)【要約】【課題】天井埋込型空気調和機の取り付けの際のナットの位置調整作業の作業時間を短縮することができるナット位置決め治具、及びこのナット位置決め治具を用いた天井埋込型空気調和機の取付方法を提供する。【解決手段】ナット位置決め治具３０は、吊りボルト２０に取り付けられる取付部３１と、吊りボルト２０に取り付けた状態において吊りボルト２０の軸心方向に沿うように配置されるとともに、上ナット及び下ナットのうちの下側に位置する下ナットの取付位置を示す表示マーク３６が付されたナット位置表示部３２と、ナット位置表示部３２の下方においてこのナット位置表示部３２の長手方向ＣＹに対して直角方向に延びて天井材１１０の下面１１１に当接するように形成された当接部３３とを備えている。【選択図】図３
2014070676.tif 000002
【特許請求の範囲】
【請求項１】
天井内の構造材(100)から垂下するように取り付けられた吊りボルト(20)に製品本体(10)の側方に張り出すように取り付けられた取付板部材(14)を掛け、この吊りボルト(20)に螺合された２個のナットにより前記取付板部材(14)を上下から挟みこむように締め付けることにより、前記製品本体(10)が前記天井内に取り付けられるように構成された天井埋込型空気調和機(1)の取り付けの際に用いられるナット位置決め治具(30)であって、
前記吊りボルト(20)に取り付けられる取付部(31)と、前記吊りボルト(20)に取り付けた状態において前記吊りボルト(20)の軸心方向に沿うように配置されるとともに、前記２個のナットのうちの下側に位置する下ナット(22)の取付位置を示す表示マーク(36)が付されたナット位置表示部(32)と、前記ナット位置表示部(32)の下方においてこのナット位置表示部(32)の長手方向に対して直角方向に延びて天井材(110)の下面(111)に当接するように形成された当接部(33)とを備えている
ことを特徴とする天井埋込型空気調和機用のナット位置決め治具。
【請求項２】
請求項１に記載の天井埋込型空気調和機用のナット位置決め治具(30)において、
前記取付部(31)は、前記ナット位置表示部(32)よりも上方の少なくとも一箇所において前記吊りボルト(20)に弾性的に係合する
ことを特徴とする天井埋込型空気調和機用のナット位置決め治具。
【請求項３】
請求項１または２に記載の天井埋込型空気調和機用のナット位置決め治具(30)において、
前記ナット位置表示部(32)には、前記天井材(110)の前記下面(111)からの距離を示す目盛り(35)が付されている
ことを特徴とする天井埋込型空気調和機用のナット位置決め治具。
【請求項４】
請求項１〜３のいずれか一項に記載の天井埋込型空気調和機用のナット位置決め治具(30)において、
前記ナット位置表示部(32)には、前記表示マーク(36)が機種毎に付されている
ことを特徴とする天井埋込型空気調和機用のナット位置決め治具。
【請求項５】
天井内の構造材(100)から吊りボルト(20)を垂下させる工程と、
請求項１〜４のいずれか一項に記載の天井埋込型空気調和機用のナット位置決め治具(30)を前記吊りボルト(20)に取り付ける工程と、
前記吊りボルト(20)において前記下ナット(22)の取付位置を示す前記表示マーク(36)に対応するところにマーク(MK)を付け前記ナット位置決め治具(30)を取り外しワッシャとともに前記吊りボルト(20)に螺合する上ナット(21)及び下ナット(22)のうちの下ナット(22)を前記マーク(MK)が付されたところに配置する、若しくは、前記吊りボルト(20)に前記ナット位置決め治具(30)を取り付けた状態でワッシャとともに前記吊りボルト(20)に螺合する上ナット(21)及び下ナット(22)のうちの下ナット(22)を前記ナット位置表示部(32)に付された前記下ナット(22)の取付位置を示す前記表示マーク(36)に対応するところに前記下ナット(22)を配置する工程と、
製品本体(10)から側方に張り出す取付板部材(14)を前記下ナット(22)に掛け、その後に前記取付板部材(14)の上方から前記上ナット(21)で締め付ける工程とを含む
ことを特徴とする天井埋込型空気調和機の取付方法。
【発明の詳細な説明】
【技術分野】
【０００１】
本発明は、天井埋込型空気調和機を支持する吊りボルトの所定の位置に下ナットを位置決めするために用いられるナット位置決め治具、及びこのナット位置決め治具を用いた天井埋込型空気調和機の取付方法に関する。
【背景技術】
【０００２】
空気調和機は、設置場所に応じて、様々な方法で取り付けられる。
空気調和機の取付方法の一種として、天井内に空気調和機の製品本体を据え付け、製品本体を吊りボルトで吊り下げる方法がある。
【０００３】
図９を参照して、天井埋込型空気調和機について、天井埋込型空気調和機の天井への取付方法を説明する。以下、天井埋込型空気調和機を「空気調和機」という。
図９（ａ）に示すように、天井内に空気調和機の製品本体２１０を据え付けるための開口部３２０を天井材３１０に形成する。次に、天井内の構造材３００から垂下するように吊りボルト２２０を取り付ける。そして、吊りボルト２２０に２個のナット２２１，２２２とワッシャ２２３，２２４にねじ込む。なお、上側のナット２２１に付属するワッシャ２２３の落下を防止するためにこのワッシャ２２３の下側に仮止部材２４０が取り付けられる。
【０００４】
そして、図９（ｂ）に示すように、上側のナット２２１（以下、「上ナット２２１」という。）と下側のナット２２２（以下、「下ナット２２２」という。）との間に、製品本体２１０から側方に張り出す取付板部材２１４を配置し、取付板部材２１４を下ナット２２２に係合する。この後、下ナット２２２の位置を調整して、製品本体２１０を天井材３１０の下面３１１から所定の高さに配置する。そして、図９（ｃ）に示すように、取付板部材２１４の上方から上ナット２２１で取付板部材２１４を締め付けることにより、製品本体２１０を吊りボルト２２０に締結する。更に、製品本体２１０に化粧板を取り付ける（特許文献１の［従来の技術］参照）。
【０００５】
なお、製品本体２１０を天井材３１０の下面３１１から所定の高さに位置決めするときは、例えば定規が用いられる。或いは、天井材３１０の下面３１１と製品本体２１０の下面との間の距離が適切な距離になっているかを判定するための段差を備えた押し当て治具が用いられることもある（特許文献２または特許文献３を参照）。
【先行技術文献】
【特許文献】
【０００６】
【特許文献１】特開平１０−１０３７５９号公報
【特許文献２】特開平３−３１６２６号公報
【特許文献３】特開平８−６１６９４号公報
【発明の概要】
【発明が解決しようとする課題】
【０００７】
しかし、下ナット２２２で製品本体２１０を支えた後、下ナット２２２の位置を調整して製品本体２１０を所定の位置に配置するといった作業は、時間がかかり、かつ上を向いて行う作業であるため、当該下ナットの位置決め作業は取付け作業者に大きな負担となっていた。特に、空気調和機の取り付け台数が多いときは、作業者への負担が大きい。
【０００８】
本発明はこのような実情に鑑みてなされたものであり、その目的は、天井埋込型空気調和機の取り付けの際のナットの位置調整作業の作業時間を短縮することができるナット位置決め治具、及びこのナット位置決め治具を用いた天井埋込型空気調和機の取付方法を提供することにある。
【課題を解決するための手段】
【０００９】
ナット位置決め治具は、天井内の構造材から垂下するように取り付けられた吊りボルトに製品本体の側方に張り出すように取り付けられた取付板部材を掛け、この吊りボルトに螺合された２個のナットにより前記取付板部材を上下から挟みこむように締め付けることにより、前記製品本体が前記天井内に取り付けられるように構成された天井埋込型空気調和機の取り付けの際に用いられるナット位置決め治具であって、前記吊りボルトに取り付けられる取付部と、前記吊りボルトに取り付けた状態において前記吊りボルトの軸心方向に沿うように配置されるとともに、前記２個のナットのうちの下側に位置する下ナットの取付位置を示す表示マークが付されたナット位置表示部と、前記ナット位置表示部の下方においてこのナット位置表示部の長手方向に対して直角方向に延びて天井材の下面に当接するように形成された当接部とを備えている。
【００１０】
従来の空気調和機の取付方法によれば、吊りボルトに製品本体を取り付けた後、下ナットの位置調整を行っている。すなわち、吊りボルトに製品本体を取り付けた状態で、下ナットの位置調整を行っている。しかし、吊りボルトは、製品本体と天井材の開口部との間の狭い空間に配置されている。このため、重量物である製品本体を下から持ち上げながら狭い空間に手を差し込んで手探りで下ナットの位置調整を行う。このような下ナットの位置調整作業は時間がかかり、また上を向いて行う作業であるため作業者に負担がかかるといった問題がある。
【００１１】
これに対し、上記構成のナット位置決め治具を用いると下ナットが天井材の下面から所定の位置に配置されることから吊りボルトに製品本体を取り付けた時点において製品本体が所定の位置に配置されるため、吊りボルトに製品本体を取り付けた後で下ナットを位置調整する作業が不要となる。このため、下ナットの位置調整作業の作業時間を短縮することができる。従って、上を向いて行う作業時間が短くなり、また作業者に負担が軽減される。
【００１２】
上記構成のナット位置決め治具において、前記取付部は、前記ナット位置表示部よりも上方の少なくとも一箇所において前記吊りボルトに弾性的に係合することが好ましい。この構成によれば、ナット位置決め治具が吊りボルトに弾性的に係合するため、吊りボルトへの取り付け、吊りボルトに対する高さ位置調整や向き調整、及び吊りボルトからの取り外しが容易になる。
【００１３】
上記構成のナット位置決め治具において、前記ナット位置表示部には、前記天井材の前記下面からの距離を示す目盛りが付されていることが好ましい。この構成によれば、天井材の下面からの距離を容易に視認することができる。
【００１４】
また、上記構成の天井埋込型空気調和機用のナット位置決め治具において、前記ナット位置表示部には、前記表示マークが機種毎に付されていることが好ましい。
この構成によれば、複数機種に対してナット位置決め治具を用いることができる。すなわち、機種に応じてナット位置決め治具を準備するといった手間が省ける。
【００１５】
天井埋込型空気調和機の取付方法は、天井内の構造材から吊りボルトを垂下させる工程と、上記構成の天井埋込型空気調和機用のナット位置決め治具を前記吊りボルトに取り付ける工程と、前記吊りボルトにおいて前記下ナットの取付位置を示す前記表示マークに対応するところにマークを付け前記ナット位置決め治具を取り外しワッシャとともに前記吊りボルトに螺合する上ナット及び下ナットのうちの下ナットを前記マークが付されたところに配置する、若しくは、前記吊りボルトに前記ナット位置決め治具を取り付けた状態でワッシャとともに前記吊りボルトに螺合する上ナット及び下ナットのうちの下ナットを前記ナット位置表示部に付された前記下ナットの取付位置を示す前記表示マークに対応するところに前記下ナットを配置する工程と、製品本体から側方に張り出す取付板部材を前記下ナットに掛け、その後に、前記取付板部材の上方から前記上ナットで締め付ける工程とを含む。
【００１６】
すなわち、吊りボルトの所定の位置に下ナットを位置決めするとき、吊りボルトにナット位置決め治具を取り付けてこの吊りボルトに対して下ナットの取付位置に対応するところにマークを付けこのマークが付されたところに下ナットを配置する。または、ナット位置決め治具を吊りボルトに取り付けた状態で下ナットの取付位置に対応するところに下ナットを配置する。これにより、下ナットを所定の位置に位置決めすることができる。このように、この取付方法によれば、簡単な操作で、下ナットを所定の位置に位置決めすることができる。このため、空気調和機の取り付け作業者の負担を軽減することができる。
【発明の効果】
【００１７】
上記構成のナット位置決め治具によれば、製品本体の取り付け後において下ナットの位置調整作業が不要となることから、天井埋込型空気調和機の取り付けの際のナットの位置調整作業の作業時間を短縮することができる。また、上記天井埋込型空気調和機の取付方法によれば、空気調和機の取り付け作業者の負担を軽減することができる。
【図面の簡単な説明】
【００１８】
【図１】天井埋込型空気調和機の取付構造を示す模式図。
【図２】取付板部材とナットとの係合構造を示す模式図。
【図３】第１実施形態に係るナット位置決め治具の平面図。
【図４】図３のＡ−Ａ線に沿ったナット位置決め治具の断面図。
【図５】図３の矢印Ｂの方向からみたナット位置決め治具の側面図。
【図６】図６（ａ）は、吊りボルトにマークを付した状態を示す模式図であり、図６（ｂ）は、マークを付したところに下ナットを位置決めするときの状態を示す模式図であり、図６（ｃ）は、上ナットと下ナットで製品本体を吊りボルトに固定するときの状態を示す模式図。
【図７】第２実施形態に係るナット位置決め治具の平面図。
【図８】図７のＣ−Ｃ線に沿ったナット位置決め治具の断面図。
【図９】図９（ａ）は、吊りボルトに上ナットと下ナットをねじ込んだときの状態を示す模式図であり、図９（ｂ）は、下ナットに製品本体の取付板部材を係合させたときの状態を示す模式図であり、図９（ｃ）は、上ナットと下ナットで製品本体を吊りボルトに固定するときの状態を示す模式図。
【発明を実施するための形態】
【００１９】
図１を参照して、天井内に据え付けられる天井埋込型空気調和機（以下、「空気調和機１」という。）の取付構造を説明する。
天井内の構造材１００には、４本の吊りボルト２０が垂下するように取り付けられている。４本の吊りボルト２０のうちの２本の吊りボルト２０は、空気調和機１の製品本体１０の第１面１１に対するように配置されている。４本の吊りボルト２０のうちの他の２本の吊りボルト２０は、空気調和機１の製品本体１０の第２面１２に対するように配置されている。なお、製品本体１０において第１面１１と第２面１２とは互いに反対の位置にある。
【００２０】
各吊りボルト２０には、上側に配置される上ナット２１と、下側に配置される下ナット２２と、上ナット２１に付属する上ワッシャ２３と、下ナット２２に付属する下ワッシャ２４とが取り付けられている。
【００２１】
製品本体１０は、第１面１１から側方（第１面１１に対して垂直かつ外側に向く方向）に張り出すように取り付けられた２個の取付板部材１４を有する。この２個の取付板部材１４は製品本体１０の第１面１１側に配置された吊りボルト２０に係合する。
【００２２】
具体的には、上ナット２１と下ナット２２とで取付板部材１４を上下から挟み込みかつ上ナット２１と下ナット２２を締めることにより、取付板部材１４が吊りボルト２０に対して固定される。製品本体１０の第２面１２から側方に張り出すように取り付けられた２個の取付板部材１４も、同様の態様で、製品本体１０の第２面１２側に配置された吊りボルト２０に固定される。
【００２３】
製品本体１０は、天井材１１０の下面１１１から所定の高さのところに配置されている。具体的には、製品本体１０の下面１３に化粧板１９を取り付けたとき、化粧板１９の周縁上面部１９Ａが天井材１１０の下面１１１に当接するように、製品本体１０の配置位置が設定されている。製品本体１０を所定の高さのところに配置するために、製品本体１０を吊りボルト２０に取り付ける前、吊りボルト２０に対して下ナット２２を所定の位置（以下、「取付位置ＰＳ」という。）に配置する。下ナット２２の取付位置ＰＳは、天井材１１０の下面１１１からの距離として、空気調和機１の機種毎に設定されている。取付位置ＰＳは、取付位置ＰＳに位置決めされた下ナット２２に製品本体１０の取付板部材１４を係合させただけで製品本体１０が所定の高さに位置決めされる下ナット２２の位置をいう。下ナット２２を取付位置ＰＳに位置決めする作業を行うときには、ナット位置決め治具３０を用いる。
【００２４】
図２を参照して、製品本体１０に取り付けられている取付板部材１４の構造を説明する。図２は、取付板部材１４とナット２１，２２との位置関係を示した図である。
取付板部材１４は、製品本体１０に固定される固定部１５と、固定部１５から垂直方向（製品本体１０の第１面１１または第２面１２から垂直方向）に延びる係合部１６と、係合部１６の変形を抑制するための補強部１８とを備えている。以下、係合部１６が延びる方向を「横方向」といい、横方向に垂直な方向を「縦方向」という。
【００２５】
係合部１６には、吊りボルト２０が貫通する切込み１７が形成されている。
切込み１７は、縦方向に延びる長孔１７Ａと、係合部１６の端から延びて長孔１７Ａに繋がる挿入部１７Ｂとを有している。長孔１７Ａの幅ＤＷは、ワッシャ２３，２４の外径よりも小さい。挿入部１７Ｂは、吊りボルト２０が差し入れられる部分である。
【００２６】
なお、吊りボルト２０の下ナット２２に取付板部材１４を係合させるときは、上ナット２１に付属する上ワッシャ２３が落ちないように、仮止部材４０で上ワッシャ２３を保持する。仮止部材４０は、段ボール等により形成された矩形の紙片であり、中心部に吊りボルト２０が挿通する挿通用切込孔４１が形成されている。挿通用切込孔４１は、表面から裏面に貫通する十字状の切れ込みである。仮止部材４０を吊りボルト２０に嵌め入れたときは、挿通用切込孔４１が吊りボルト２０のねじ溝に引っ掛かるため、仮止部材４０は落ちない。また、仮止部材４０は、手で容易に引き裂かれる構造となっている。仮止部材４０を吊りボルト２０から取り外すときは、仮止部材４０を引き裂いて吊りボルト２０から仮止部材４０を外す。
【００２７】
（第１実施形態に係るナット位置決め治具）
図３を参照して、第１実施形態に係るナット位置決め治具３０を説明する。
ナット位置決め治具３０は、吊りボルト２０に取り付けられる２個の取付部３１と、ナット位置表示部３２と、ナット位置表示部３２から下方に延びる下方延長部３７と、天井材１１０の下面１１１に当接するように形成された当接部３３とを備えている。２個の取付部３１は、それぞれ上下２箇所において吊りボルト２０に弾性的に係合する。
【００２８】
取付部３１と、ナット位置表示部３２と、下方延長部３７とは一体的に形成されている。例えば、取付部３１と、ナット位置表示部３２と、下方延長部３７との一体成形品は、プラスチックスの成型や金属板のプレス加工により製造される。
【００２９】
ナット位置表示部３２は、吊りボルト２０に沿う形状であり、かつ吊りボルト２０に沿うように延びる少なくとも一つの平面を有する。ナット位置表示部３２は、２個の取付部３１の間を接続する接続体でもある。
【００３０】
ナット位置表示部３２の中間部分には、吊りボルト２０に沿って延びる矩形長孔３４が形成されている。矩形長孔３４において互いに対向する２つの端縁（以下、右側の端縁を「右端縁３４Ｒ」といい、左側の端縁を「左端縁３４Ｌ」という。）は、互いに平行に形成されている。また、ナット位置表示部３２において矩形長孔３４の右側の右平面３２Ａには、天井材１１０の下面１１１からの距離を示す目盛り３５が付されている。目盛り３５は、矩形長孔３４の右端縁３４Ｒに沿うように設けられている。
【００３１】
また、ナット位置表示部３２において左側の左平面３２Ｂには、機種毎に、下ナット２２の取付位置ＰＳを示す表示マーク３６が付されている。表示マーク３６は、矩形長孔３４の左端縁３４Ｌに付されている。なお、図３の「ＸＡ」は、機種名ＸＡの空気調和機１の製品本体１０を吊りボルト２０に係合させるための下ナット２２の取付位置ＰＳを示す。図３の「ＸＢ」は、機種名ＸＢの空気調和機１の製品本体１０を吊りボルト２０に係合させるための下ナット２２の取付位置ＰＳを示す。
【００３２】
図４を参照して、ナット位置決め治具３０の取付部３１の構造を説明する。図４は、図３のＡ−Ａ線に沿う断面図である。
図４に示すように、取付部３１は、吊りボルト２０の周方向に沿うように形成された把持部３１Ａと、把持部３１Ａの両端部に形成された突起部３１Ｂとを備えている。突起部３１Ｂは、把持部３１Ａから外方向に突出する。
【００３３】
把持部３１Ａの内周面３１Ｃは、吊りボルト２０の側周面に沿うように形成されている。すなわち、把持部３１Ａの内周面３１Ｃは円柱側面の一部を構成する。把持部３１Ａの内周面３１Ｃの軸方向ＣＡは、ナット位置表示部３２の長手方向ＣＹと一致する。
【００３４】
把持部３１Ａは、吊りボルト２０を周方向において半分以上を覆う。把持部３１Ａの両端部の間隔ＤＳは、吊りボルト２０の直径よりも小さい。
ナット位置決め治具３０を吊りボルト２０に取り付けるときは、把持部３１Ａの両端部の間隔ＤＳを広げつつ把持部３１Ａ内に吊りボルト２０を押し込む。把持部３１Ａは弾性的に吊りボルト２０を把持するため、これにより、ナット位置決め治具３０が吊りボルト２０に固定される。把持部３１Ａの内周面３１Ｃの軸方向ＣＡは、ナット位置表示部３２の長手方向ＣＹに一致するため、ナット位置決め治具３０を吊りボルト２０に取り付けるだけで、吊りボルト２０に沿うようにナット位置表示部３２が配置される。
【００３５】
図５を参照して、ナット位置決め治具３０の当接部３３の構造を説明する。図５は、図４において、ナット位置決め治具３０を矢印Ｂ方向から見た図である。
当接部３３は、回転軸３８を介してナット位置表示部３２の下方延長部３７に対して回転可能に取り付けられている。下方延長部３７の下端には、当接部３３の回転を規制するための突起３７Ａが形成されている。
【００３６】
突起３７Ａは、下方延長部３７に対して直角に設けられている。突起３７Ａは、当接部３３がナット位置表示部３２に対して直角となるように回転するとき、当接部３３の下面３３Ａ（図３参照）が突起３７Ａに当接するように形成されている。すなわち、当接部３３を回転させると当接部３３の下面３３Ａが突起３７Ａに当たるため、当接部３３は、吊りボルト２０の長手方向ＣＹに対して直角方向に延びるように配置される。
【００３７】
図６を参照して、空気調和機１の取付方法について説明する。
図６（ａ）に示すように、天井材１１０に、製品本体１０が入る開口部１１２を形成し、天井の構造材１００に吊りボルト２０を４本取り付ける。具体的には、２本の吊りボルト２０を空気調和機１の製品本体１０の第１面１１に対するように取り付け、他の２本の吊りボルト２０を空気調和機１の製品本体１０の第２面１２に対するように取り付ける。
【００３８】
次に、吊りボルト２０にナット位置決め治具３０を取り付ける。具体的には、ナット位置決め治具３０の当接部３３を回転して、ナット位置表示部３２の長手方向ＣＹに対して直角方向に延びる位置に当接部３３を配置し、この状態で、当接部３３を天井材１１０の下面１１１に押し当てつつ、ナット位置表示部３２を吊りボルト２０に沿うように配置する。そして、当接部３３が天井材１１０の下面１１１に当接する状態で、取付部３１を吊りボルト２０に取り付けて、ナット位置決め治具３０を吊りボルト２０に固定する。このとき、吊りボルト２０に沿うように矩形長孔３４が配置される。
【００３９】
次に、ナット位置表示部３２に示されている表示マーク３６を参照して、吊りボルト２０に下ナット２２の取付位置ＰＳにマークＭＫを付ける。
例えば、吊りボルト２０に取り付ける空気調和機１が機種名「ＸＡ」であるときは、吊りボルト２０において、ナット位置表示部３２に付けられている「ＸＡ」（表示マーク３６）に対応するところにマークＭＫを付ける。このマークＭＫは、例えば、油性インクや色付接着剤を用いて付けられる。
【００４０】
次に、図６（ｂ）に示すように、上ナット２１及び上ワッシャ２３を吊りボルト２０にねじ込む。上ナット２１は、吊りボルト２０に付したマークＭＫよりも高い位置に配置する。上ナット２１の下側に上ワッシャ２３を配置し、仮止部材４０により上ワッシャ２３を保持する。次に、吊りボルト２０に下ワッシャ２４を挿通し、吊りボルト２０に下ナット２２をねじ込む。そして、下ナット２２を、吊りボルト２０に付したマークＭＫの位置に配置する。すなわち、その後において、下ナット２２の位置調整をする必要がない最終的な位置（空気調和機１の機種に対応した取付位置ＰＳ）に下ナット２２を配置する。
【００４１】
次に、図６（ｃ）に示すように、製品本体１０の取付板部材１４を下ナット２２に係合させる。
具体的には、製品本体１０を斜めに押し上げて、第１面１１又は第２面１２に取り付けられている取付板部材１４を下ナット２２に係合させる。これにより、製品本体１０を片持ち状態にする。この後、製品本体１０を略水平になるように押し上げて、他方の面（第１面１１又は第２面１２）に取り付けられている取付板部材１４を下ナット２２に係合させる。なお、製品本体１０の取付板部材１４を吊りボルト２０に係合させるときは、下ナット２２の位置ずれがないかを確認しながら行う。そして、製品本体１０が４個の下ナット２２を介して吊りボルト２０によって支持されたことが確認されたとき、上ワッシャ２３を保持する仮止部材４０を引き裂いて、仮止部材４０を吊りボルト２０から取り外す。この後、上ナット２１を下側に移動し、上ナット２１と下ナット２２で上ワッシャ２３及び下ワッシャ２４を介して取付板部材１４を挟みこみ、更に、上ナット２１を締め付けることにより、取付板部材１４を吊りボルト２０に対して固定する。このときには、製品本体１０は、天井材１１０の下面１１１から所定の位置に配置されている。このため、下ナット２２の位置調整を行わずに化粧板１９（図１参照）を製品本体１０に取り付けても、化粧板１９の周縁上面部は適切な状態（すなわち、隙間なく、かつ化粧板１９の押し込みすぎによる周縁上面部の変形もない状態）で天井材１１０の下面１１１に当接する。
【００４２】
第１実施形態に係るナット位置決め治具３０の作用について説明する。
従来の空気調和機１の取付方法によれば、製品本体１０を天井材１１０の下面１１１に対して所定の位置に配置するために、吊りボルト２０に製品本体１０を取り付けた後に下ナット２２の位置調整を行っている。すなわち、吊りボルト２０に製品本体１０を取り付けた状態で、下ナット２２の位置調整を行っている。しかし、吊りボルト２０は、製品本体１０と天井材１１０の開口部１１２との間の狭い空間に配置されている。このため、重量物である製品本体を下から持ち上げながら狭い空間に手を差し込んで手探りで下ナットの位置調整を行う。このような作業（下ナットの位置調整作業）は時間がかかり、また上を向いて行う作業であるため作業者に負担がかかるといった問題がある。
【００４３】
そこで、下ナット２２を吊りボルト２０に対して位置決めするためのナット位置決め治具３０を用いる。ナット位置決め治具３０は、吊りボルト２０に対し、下ナット２２の取付位置ＰＳを表示マーク３６で指し示す。
【００４４】
ナット位置決め治具３０を吊りボルト２０に取り付けるときは、当接部３３を、天井材１１０の下面１１１に押し当てるとともに、ナット位置表示部３２を吊りボルト２０に沿うように配置する。当接部３３は、ナット位置表示部３２の長手方向ＣＹに対して直角に延びるように配置されているため、吊りボルト２０に対して表示マーク３６が指し示す位置は、精確である。このため、天井材１１０の下面１１１から所定の距離だけ離れた位置（取付位置ＰＳ）に下ナット２２を精確に位置決めすることが可能である。
【００４５】
下ナット２２を所定の位置に位置決めした後、下ナット２２に製品本体１０の取付板部材１４を係合するため、製品本体１０を吊りボルト２０に掛かり付けた時点において、製品本体１０は天井材１１０から所定の高さに配置される。このため、製品本体１０が配置されるべき位置からの位置ずれがない。従って、製品本体１０の取付板部材１４を下ナット２２に係合した後に行われている下ナット２２の位置調整作業が不要になる。
【００４６】
第１実施形態によれば以下の効果が得られる。
（１）ナット位置決め治具３０は、吊りボルト２０に取り付けられる取付部３１と、下ナット２２の取付位置ＰＳを示す表示マーク３６（表示）が付されたナット位置表示部３２と、このナット位置表示部３２の長手方向ＣＹに対して直角方向に延びて天井材１１０の下面１１１に当接するように形成された当接部３３とを備えている。このナット位置決め治具３０を用いると、製品本体１０の取付板部材１４を下ナット２２に係合した後に行われている下ナット２２の位置調整作業が不要になるため、下ナット２２の位置調整作業の作業時間を短縮することができる。このため、上を向いて行う作業時間が短くなり、また作業者に負担が軽減される。
【００４７】
（２）取付部３１は、ナット位置表示部３２よりも上側の少なくとも一箇所において吊りボルト２０に弾性的に係合する。この構成によれば、ナット位置決め治具３０が吊りボルト２０に弾性的に係合するため、吊りボルト２０への取り付け、吊りボルト２０に対する高さ位置調整や取り付け向き調整、及び吊りボルト２０からの取り外しが容易になる。
【００４８】
（３）取付部３１は、ナット位置表示部３２を間にして上下２箇所において吊りボルト２０に係合する。この構成によれば、取付部３１が吊りボルト２０に１箇所でで係合する場合に比べて、吊りボルト２０の揺れに対するナット位置表示部３２の振動が小さくなる。このため、吊りボルト２０に取り付けられたナット位置決め治具３０の取付状態が安定する。
【００４９】
（４）ナット位置表示部３２には、天井材１１０の下面１１１からの距離を示す目盛り３５が付されている。この構成によれば、天井材１１０の下面１１１からの距離を容易に視認することができる。
【００５０】
一般に、製品本体１０における取付板部材１４の取り付け位置から下ナット２２の取付位置ＰＳを決めることができる。
このため、仮に、対応機種の表示マーク３６がないときでも、この目盛り３５を利用することにより、その製品本体１０に応じた取付位置ＰＳに下ナット２２を精確に位置決めすることができる。
【００５１】
（５）ナット位置表示部３２には、表示マーク３６（表示）が機種毎に付されている。この構成によれば、複数機種に対してナット位置決め治具３０を用いることができる。すなわち、機種に応じてナット位置決め治具３０を準備するといった手間が省ける。
【００５２】
（６）ナット位置決め治具３０を用いた空気調和機１の取付方法では、吊りボルト２０において、ナット位置表示部３２に表示されている表示マーク３６に対するところにマークＭＫを付け、そして、このマークＭＫが付されたところに下ナット２２を配置する。この取付方法によれば、簡単な操作で、下ナット２２を所定の位置に位置決めすることができる。このように位置決めされた下ナット２２に取付板部材１４を係合して製品本体１０を吊りボルト２０に取り付けると、製品本体１０は所定の位置に配置されるため、製品本体１０を吊りボルト２０に取り付けた後の下ナット２２の位置調整作業は簡単なものとなる。このため、空気調和機１の取り付け作業者の負担を軽減することができる。
【００５３】
（７）ナット位置決め治具３０を用いた空気調和機１の取付方法の変形例として、次の方法がある。すなわち、上ナット２１、下ナット２２、及びこれらに付属するワッシャ２３，２４が螺合した吊りボルト２０にナット位置決め治具３０を取り付ける。または、吊りボルト２０にナット位置決め治具３０を取り付けた後、上ナット２１、下ナット２２、及びこれらに付属するワッシャ２３，２４を吊りボルト２０を取り付ける。この後、吊りボルト２０にナット位置決め治具３０を取り付けた状態で、ナット位置表示部３２に付された表示マーク３６（表示）に対応するところに下ナット２２を配置する。
【００５４】
このような取付方法によれば、吊りボルト２０にマークＭＫを付ける必要がないため、下ナット２２の位置決め作業が簡単になる。なお、図３に示すようなナット位置決め治具３０では、ワッシャ２３，２４が矩形長孔３４内に入り込まないため、このような方法の場合は、ワッシャ２３，２４の外径よりも大きい横幅ＤＸの矩形長孔３４を有するナット位置決め治具３０を用いる。
【００５５】
（第２実施形態に係るナット位置決め治具）
図７を参照して、第２実施形態に係るナット位置決め治具５０を説明する。
ナット位置決め治具５０は、吊りボルト２０に取り付けられる取付部５１と、ナット位置表示部５２と、ナット位置表示部５２から下方に延びる下方延長部５４と、天井材１１０の下面１１１に当接するように形成された当接部５３とを備えている。
【００５６】
ナット位置表示部５２は、吊りボルト２０に沿う形状であり、かつ吊りボルト２０に沿うように延びる少なくとも一つの平面を有する。ナット位置表示部５２は、取付部５１の下方に設けられている。ナット位置表示部５２の一方の面（平面側）には、天井材１１０の下面１１１からの距離を示す目盛り５５と、下ナット２２の取付位置ＰＳを示す表示マーク５６とが付されている。表示マーク５６は、数個の機種に対応して設けられている。
【００５７】
図８を参照して、ナット位置決め治具５０の取付部５１の構造を説明する。図８は、図７のＣ−Ｃ線に沿う断面図である。
取付部５１は、吊りボルト２０を挟む２個の部材（以下、「第１部材５７」及び「第２部材５８」）と、第１部材５７と第２部材５８とを付勢する付勢部材５９と、第１部材５７と第２部材５８を回転可能に支持する支持棒６０とを備えている。支持棒６０は、ナット位置表示部５２の上部に取り付けられている。支持棒６０は、ナット位置表示部５２の長手方向ＣＹに沿って延びている。
【００５８】
第１部材５７は、吊りボルト２０の側周面の一部に当接する第１当接部５７Ａと、支持棒６０に挿通する挿通部５７Ｂと、挿通部５７Ｂを間にして第１当接部５７Ａの反対側にある第１作用部５７Ｃとを備えている。
【００５９】
第２部材５８は、吊りボルト２０において第１当接部５７Ａが当接する部分とは反対側の部分に当接する第２当接部５８Ａと、支持棒６０に挿通する挿通部５８Ｂと、挿通部５８Ｂを間にして第２当接部５８Ａの反対側にある第２作用部５８Ｃとを備えている。第１当接部５７Ａ及び第２当接部５８Ａはともに、図８に示すように、吊りボルト２０の側周面に沿うように円弧状に形成されている。また、第１当接部５７Ａ及び第２当接部５８Ａは、吊りボルト２０の軸心方向ＣＳに沿って延長するように、形成されている。第１当接部５７Ａ及び第２当接部５８Ａの延長方向Ｃ１と、支持棒６０の延長方向Ｃ２と、吊りボルト２０の軸心方向ＣＳとは同じ方向を向く。
【００６０】
付勢部材５９は、第１当接部５７Ａと第２当接部５８Ａとが互いに接近するように第１部材５７と第２部材５８を付勢する。付勢部材５９は、例えば、コイルばねや、折り曲げられた板ばねにより形成されている。
【００６１】
取付部５１は次のように動作する。
第１作用部５７Ｃと第２作用部５８Ｃとが互いに接近するように第１作用部５７Ｃ及び第２作用部５８Ｃに力を加えると、支持棒６０が回転軸（支点）として機能し、第１当接部５７Ａと第２当接部５８Ａとが互いに離間する。
【００６２】
吊りボルト２０を取付部５１で挟むと、ナット位置表示部５２の長手方向ＣＹと吊りボルト２０の軸心方向ＣＳとが同じ方向に向くように吊りボルト２０に対してナット位置決め治具５０が取り付けられる。すなわち、吊りボルト２０を取付部５１で挟むだけで、吊りボルト２０に沿うようにナット位置表示部５２が配置される。
【００６３】
ナット位置決め治具５０は、第１実施形態に係るナット位置決め治具３０の作用に準じた作用を奏する。このため、従来の空気調和機１の取付方法に比べて、空気調和機１の製品本体１０の取付板部材１４を下ナット２２に係合した後に行われる下ナット２２の位置調整作業が簡単になる。
【００６４】
第２実施形態によれば以下の効果が得られる。
（１）第２実施形態に係るナット位置決め治具５０の基本構成は、第１実施形態に係るナット位置決め治具３０と同じである。
【００６５】
すなわち、ナット位置決め治具５０は、吊りボルト２０に取り付けられる取付部５１と、下ナット２２の取付位置ＰＳを示す表示マーク５６（表示）が付されたナット位置表示部５２と、このナット位置表示部５２の長手方向ＣＹに対して直角方向に延びて天井材１１０の下面１１１に当接するように形成された当接部５３とを備えている。従って、第２実施形態に係るナット位置決め治具５０は、上記第１実施形態の上記（１）の効果に準じた効果を有する。
【００６６】
また、ナット位置表示部５２には、天井材１１０の下面１１１からの距離を示す目盛り３５が付されている。従って、上記第１実施形態の上記（４）に準じた効果を奏する。また、ナット位置表示部５２には、下ナット２２の取付位置ＰＳを示す表示マーク５６（表示）が機種毎に付されている。従って、上記第１実施形態の上記（５）に準じた効果を奏する。
【００６７】
（２）取付部５１は、ナット位置表示部５２よりも上側で吊りボルト２０に係合する。なお、取付部５１は、ナット位置表示部５２よりも上側において、２箇所以上で係合してもよい。
【００６８】
（３）ナット位置決め治具５０を用いた空気調和機１の取付方法は、吊りボルト２０にナット位置決め治具５０を取り付けた状態で、ナット位置表示部５２に付された下ナット２２の取付位置ＰＳを示す表示マーク５６（表示）に対応するところに、下ナット２２を位置決めする。
【００６９】
この方法によれば、吊りボルト２０にマークＭＫを付ける作業がないため、簡単な操作で、下ナット２２を所定の位置（取付位置ＰＳ）に位置決めすることができる。また、このように位置決めされた下ナット２２に取付板部材１４を係合して製品本体１０を吊りボルト２０に取り付けると、製品本体１０は所定の位置に配置されるため、製品本体１０を吊りボルト２０に取り付けた後の下ナット２２の位置調整作業は簡単なものとなる。このため、空気調和機１の取り付け作業者の負担を軽減することができる。
【００７０】
（４）ナット位置決め治具５０を用いた空気調和機１の取付方法の変形例としては、次の方法がある。すなわち、吊りボルト２０において、ナット位置表示部５２に表示されている表示マーク５６に対するところにマークＭＫを付け、そして、このマークＭＫの位置に下ナット２２を配置する。この取付方法によっても、下ナット２２を所定の位置（取付位置ＰＳ）に精確に位置決めすることができる。
【００７１】
（変形例）
本技術は上記実施形態に例示した態様に限られるものではなく、例えば以下のように変更することもできる。また以下の各変形例は、上記実施形態についてのみ適用されるものではなく、異なる変形例同士を互いに組み合わせて実施することもできる。
【００７２】
・上記第１実施形態に係るナット位置決め治具３０では、ナット位置表示部３２に、天井材１１０の下面１１１からの距離を示す目盛り３５と、機種毎の取付位置ＰＳを示す表示マーク３６とを有するが、目盛り３５を省略してもよい。
【００７３】
また、第２実施形態のように、目盛り３５と表示マーク３６とを同じところに重ねて付してもよい。この構成の場合、ナット位置表示部３２の面積を小さくすることができるため、ナット位置決め治具３０の横幅を短くすることができ、ナット位置決め治具３０を小型にすることができる。
【００７４】
・上記第１実施形態のナット位置決め治具３０では、取付部３１が吊りボルト２０に弾性的に係合するように形成されているが、取付部３１の構造はこれに限定されない。すなわち、取付部３１は、ナット位置決め治具３０を吊りボルト２０に固定することができる構造であれば、採用される。例えば、取付部３１の構造として、第２実施形態の取付部５１のように、吊りボルト２０を両側から挟み込む構造を採用することもできる。
【００７５】
・上記第１または第２実施形態に係るナット位置決め治具３０，５０では、下方延長部３７に対して当接部３３は回転可能に設けられているが、この構成を省略することもできる。例えば、下方延長部３７，５４と当接部３３，５３とを一体的に成形してもよい。
【００７６】
・上記第１または第２実施形態に係る空気調和機１の取付方法では、吊りボルト２０のそれぞれに対してナットを２個用いていたが、吊りボルト２０のそれぞれに対して３個又は４個用いることもできる。３個のナットを用いる場合は、例えば、下側に２個、上側に１個配置する。下側の２個のナットのうちの下側に配置されるナットは、ナットの回転を防止するためのロックナットである。４個のナットを用いる場合は、例えば、下側に２個、上側に２個配置する。
【符号の説明】
【００７７】
１…空気調和機、１０…製品本体、１１…第１面、１２…第２面、１３…下面、１４…取付板部材、１５…固定部、１６…係合部、１７…切込み、１７Ａ…長孔、１７Ｂ…挿入部、１８…補強部、１９…化粧板、１９Ａ…周縁上面部、２０…吊りボルト、２１…上ナット、２２…下ナット、２３…上ワッシャ、２４…下ワッシャ、３０…ナット位置決め治具、３１…取付部、３１Ａ…把持部、３１Ｂ…突起部、３１Ｃ…内周面、３２…ナット位置表示部、３２Ａ…右平面、３２Ｂ…左平面、３３…当接部、３３Ａ…下面、３４…矩形長孔、３４Ｒ…右端縁、３４Ｌ…左端縁、３５…目盛り、３６…表示マーク、３７…下方延長部、３７Ａ…突起、３８…回転軸、４０…仮止部材、４１…挿通用切込孔、５０…ナット位置決め治具、５１…取付部、５２…ナット位置表示部、５３…当接部、５４…下方延長部、５５…目盛り、５６…表示マーク、５７…第１部材、５７Ａ…第１当接部、５７Ｂ…挿通部、５７Ｃ…第１作用部、５８…第２部材、５８Ａ…第２当接部、５８Ｂ…挿通部、５８Ｃ…第２作用部、５９…付勢部材、６０…支持棒、１００…構造材、１１０…天井材、１１１…下面、１１２…開口部、２１０…製品本体、２１４…取付板部材、２２０…吊りボルト、２２１…上ナット、２２２…下ナット、２２３…ワッシャ、２２４…ワッシャ、２４０…仮止部材、３００…構造材、３１０…天井材、３１１…下面、３２０…開口部。
【図１】
2014070676.tif 000003
【図２】
2014070676.tif 000004
【図３】
2014070676.tif 000005
【図４】
2014070676.tif 000006
【図５】
2014070676.tif 000007
【図６】
2014070676.tif 000008
【図７】
2014070676.tif 000009
【図８】
2014070676.tif 000010
【図９】
2014070676.tif 000011